(57)【要約】【課題】支障なく子機間の同時通話が可能な無線通信システムを実現する。【解決手段】親機１００は、異なる種類の周波数の音声信号をそれぞれ受信する受信部１１１〜１１４を備え、受信部１１１〜１１４で受信した音声信号を単一の周波数で配下の複数の子機に送信する。制御部１１６は、受信部１１１〜１１４の使用状況から、前記異なる種類の周波数のうちの空き周波数に関する情報を検出し、空き周波数に対応するトーン信号を、トーン信号発生部１１７に常時発生させる。トーン信号は、単一の周波数で変調されて配下の子機に送信される。これにより、子機が空き周波数を認識でき、子機はその空き周波数を送信周波数として音声信号を送信する。【選択図】図２
2008187692.tif 000002
【特許請求の範囲】
【請求項１】
互いに異なるｎ種類の周波数で変調された音声信号をそれぞれ受信するｎ個の親機側受信部、及び該ｎ個の親機側受信部で受信した音声信号を単一の周波数で変調して送信する親機側送信部を備えた親機と、
前記親機から送信された音声信号を受信する子機側受信部、前記ｎ種類の周波数から送信周波数を設定する周波数制御部、及び前記親機に送信する音声信号を該周波数制御部で設定された周波数で変調して送信する子機側送信部を含む任意数の子機と、を備える無線通信システムであって、
前記親機は、前記各親機側受信部の使用状況から前記ｎ種類の周波数のうちの空き周波数に関する情報を検出する制御手段、及び該制御手段で検出された情報に対応するトーン信号を常時発生するトーン信号発生手段を有し、
前記子機は、前記トーン信号と該トーン信号によって指定される前記送信周波数との対応が記載されたテーブルを有し、前記親機から与えられたトーン信号に対応する送信周波数を該テーブルから検出して、前記送信周波数を設定することを特徴とする無線通信システム。
【請求項２】
前記トーン信号発生手段は、前記トーン信号を、前記親機側送信部を介して前記単一の周波数で変調して送信させ、
前記子機は、前記トーン信号を前記子機側受信部で受信することを特徴とする請求項１に記載の無線通信システム。
【請求項３】
前記親機の制御手段によって検出される前記空き周波数に関する情報は、前記ｎ種類の周波数のうちの１つの空き周波数を示す情報であることを特徴とする請求項１又は２に記載の無線通信システム。
【請求項４】
前記親機の制御手段によって検出される前記空き周波数に関する情報は、前記ｎ種類の周波数のうちの１つの空き周波数を示す情報と該ｎ種類の周波数のすべてが空き周波数ではないことを示す情報とであることを特徴とする請求項１又は２に記載の無線通信システム。
【請求項５】
互いに異なるｎ種類の周波数で変調された音声信号をそれぞれ受信するｎ個の親機側受信部、及び該ｎ個の親機側受信部で受信した音声信号を単一の周波数で変調して送信する親機側送信部を備えた親機と、
前記親機から送信された音声信号を受信する子機側受信部、前記ｎ種類の周波数から送信周波数を設定する周波数制御部、及び前記親機に送信する音声信号を該周波数制御部で設定された周波数で変調して送信する子機側送信部を含む任意数の子機との間の通信方法において、
前記各親機側受信部の使用状況から前記ｎ種類の周波数のうちの空き周波数に関する情報を検出し、該検出された情報に対応するトーン信号を常時親機に発生させ、
前記トーン信号と該トーン信号によって指定される前記送信周波数との対応が記載されたテーブルを子機に備えておき、子機により、前記親機から与えられたトーン信号に対応する送信周波数を該テーブルから検出して、前記送信周波数を設定させることを特徴とする通信方法。
【発明の詳細な説明】
【技術分野】
【０００１】
本発明は、１台の親機と複数の子機からなり、親機を介して子機間の同時通話が可能なＭＣＡ無線システム等の無線通信システム及び通信方法に関する。
【背景技術】
【０００２】
この種の無線通信システムで採用される親機は、複数の受信回路と１つの送信回路とを備え、複数の受信回路は、それぞれ異なる周波数の信号を受信する。此に対し、各子機は、１つの受信回路と、複数の周波数で送信することができる送信回路とをそれぞれ備えている。
【０００３】
各子機の受信回路で復調できる周波数は、親機の送信回路の送信周波数である。子機の送信回路で送信できる周波数は、親機の各受信回路で受信できる周波数である。
複数の子機から親機にそれぞれ異なる周波数で音声信号を送信し、複数の子機からの音声信号を受信した親機は、複数の音声信号を混合して、単一の送信周波数で送信する。複数の子機からの音声信号を親機が常時中継送信し、親機が送信した音声信号を複数の子機が常時受信するので、複数の子機間の同時通話が可能である。
【０００４】
この種の無線通信システムで同時通話を支障なく行うためには、各子機の使用する送信周波数が重複しないようにすることが必要となる。この課題を解決するために、親機から子機に、親機の各受信部の使用状況を空きチャネル情報として送信する無線システムが提案されている（特許文献１参照）。
【特許文献１】特開平９−８４０９８号公報
【発明の開示】
【発明が解決しようとする課題】
【０００５】
しかしながら、特許文献１に示された無線システムは、親機が各受信部の空きチャネル情報をデジタル信号で送信するので、アナログの無線受信システムで採用するためには、親機に符号化回路を設け、子機に復号化回路を設ける必要があった。
また、親機の各受信部の使用状況に変化があるごとに、空きチャンネル情報が送信されるので、各受信部の使用状況に変化がない状況で子機の電源をオンすると、子機の送信周波数を送信可能な周波数に設定することができないという問題もあった。
【０００６】
本発明は、以上のような現状に鑑みてなされた発明であり、符号化回路及び復号化器を親機や子機に設けなくても、支障なく子機間の同時通話が可能となる無線通信システム及び通信方法を提供することを目的とする。
【課題を解決するための手段】
【０００７】
上記目的を達成するために、本発明の第１の観点に係る無線通信システムは、
互いに異なるｎ種類の周波数で変調された音声信号をそれぞれ受信するｎ個の親機側受信部及び該ｎ個の親機側受信部で受信した音声信号を単一の周波数で変調して送信する親機側送信部を備えた親機と、
前記親機から送信された音声信号を受信する子機側受信部、前記ｎ種類の周波数から送信周波数を設定する周波数制御部、及び前記親機に送信する音声信号を該周波数制御部で設定された周波数で変調して送信する子機側送信部を含む任意数の子機と、を備える無線通信システムであって、
前記親機は、前記各親機側受信部の使用状況から前記ｎ種類の周波数のうちの空き周波数に関する情報を検出する制御手段、及び該制御手段で検出された情報に対応するトーン信号を常時発生するトーン信号発生手段を有し、
前記子機は、前記トーン信号と該トーン信号によって指定される前記送信周波数との対応が記載されたテーブルを有し、前記親機から与えられたトーン信号に対応する送信周波数を該テーブルから検出して、前記送信周波数を設定することを特徴とする。
【０００８】
なお、前記トーン信号発生手段は、前記トーン信号を、前記親機側送信部を介して前記単一の周波数で変調して送信させ、前記子機は、前記トーン信号を前記子機側受信部で受信してもよい。
【０００９】
又、前記親機の制御手段によって検出される前記空き周波数に関する情報は、前記ｎ種類の周波数のうちの１つの空き周波数を示す情報であってもよい。
又、前記親機の制御手段によって検出される前記空き周波数に関する情報は、前記ｎ種類の周波数のうちの１つの空き周波数を示す情報と該ｎ種類の周波数のすべてが空き周波数ではないことを示す情報とであってもよい。
【００１０】
上記目的を達成するために、本発明の第２の観点に係る通信方法は、
互いに異なるｎ種類の周波数で変調された音声信号をそれぞれ受信するｎ個の親機側受信部、及び該ｎ個の親機側受信部で受信した音声信号を単一の周波数で変調して送信する親機側送信部を備えた親機と、
前記親機から送信された音声信号を受信する子機側受信部、前記ｎ種類の周波数から送信周波数を設定する周波数制御部、及び前記親機に送信する音声信号を該周波数制御部で設定された周波数で変調して送信する子機側送信部を含む任意数の子機との間の通信方法において、
前記各親機側受信部の使用状況から前記ｎ種類の周波数のうちの空き周波数に関する情報を検出し、該検出された情報に対応するトーン信号を常時親機に発生させ、
前記トーン信号と該トーン信号によって指定される前記送信周波数との対応が記載されたテーブルを子機に備えておき、子機により、前記親機から与えられたトーン信号に対応する送信周波数を該テーブルから検出して、前記送信周波数を設定させることを特徴とする。
【発明の効果】
【００１１】
本発明によれば、符号化回路及び復号化器を親機や子機に設けなくても、支障なく子機間の同時通話が可能な無線通信システムを実現できる。
また、子機の電源をオンすると、即時に送信周波数が設定される。
【発明を実施するための最良の形態】
【００１２】
以下、図面に基づき、本発明の実施の形態について詳細に説明する。
図１は、本発明の実施形態に係る無線通信システムの構成図である。
図２は、図１中の親機１００を示す構成図である。
図３は、図１中の子機２００を示す構成図である。
【００１３】
この無線通信システムは、図１のように、１台の親機１００と複数の子機２００とで構成されている。
親機１００は、図２のように、受信用アンテナ１０１と、受信用アンテナ１０１に接続された親機側受信部である例えば４個の第１の受信部１１１、第２の受信部１１２、第３の受信部１１３及び第４の受信部１１４と、音声混合部１１５と、制御部１１６と、トーン信号発生部１１７と、スケルチ回路１１８と、スピーカ１１９と、ＰＴＴスイッチ（ＰＴＴ）１２０と、マイク１２１と、送信機側送信部である送信部１２２と、送信用アンテナ１２３と、メモリ１２４とを備えている。
【００１４】
受信部１１１〜１１４は、受信用アンテナ１０１に接続され、アクティブな状態で、それぞれ異なる別の周波数Ｆ１，Ｆ２，Ｆ３，Ｆ４の変調信号を復調して音声信号を抽出する。これらの周波数Ｆ１，Ｆ２，Ｆ３，Ｆ４は、後述するように、子機２００の送信周波数に対応し、各周波数Ｆ１，Ｆ２，Ｆ３，Ｆ４に付された「１」「２」「３」「４」の数字は、周波数を選択・指定する際の優先順位を示している。
【００１５】
音声混合部１１５は、受信部１１１〜１１４に接続され、各受信部１１１〜１１４から与えられ音声信号を混合する。音声混合部１１５の出力側は、送信部１２２に接続されると共に、スケルチ回路１１８を介してスピーカ１１９に接続されている。スケルチ回路１１８のオープン、クローズは、制御部１１６によって制御される。スピーカ１１９は、音声混合部１１５から与えられた音声信号を音声として出力する。
【００１６】
制御部１１６は、ＰＴＴスイッチ１２０が押下されていることを検出すると、マイク１２１から入力された音声信号を送信部１２２に出力する。
制御部１１６は、複数の送信周波数が空き状態であると検出した場合、優先順位の高い送信周波数を選択する。
制御部１１６は、各受信部１１１〜１１４の使用状況及び親機１００自身から子機２００への送信状態から、親機１００の状態が後述する６つの状態のいずれに属するかを識別し、各状態に対応するトーン信号を、トーン信号発生部１１７から常時発生させる。
制御部１１６に、メモリ１２４が接続され、そのメモリ１２４には、トーン信号の種類と各トーン信号によって指定される送信周波数との対応を示すテーブルが記載される。
親機１００は、子機２００と音声通信をすることができる。
【００１７】
送信部１２２は、音声信号及びトーン信号を単一の周波数ｆ１で変調し、送信用アンテナ１２３から送信する。
【００１８】
各子機２００は、図３のように、アンテナ２０１と、該アンテナ２０１に接続された子機側受信部である受信部２１１と、トーン検出部２１２と、制御部２１３と、メモリ２１４と、子機側送信部である送信部２１５と、送信周波数設定部２１６と、マイク２１７と、スケルチ回路２１８と、スピーカ２１９と、ＰＴＴスイッチ（ＰＴＴ）２２０とを備えている。
【００１９】
受信部２１１は、親機１００が周波数ｆ１で送信した信号を受信して復調し、トーン検出部２１２に与える。
トーン検出部２１２は、受信部２１１から与えられた信号からトーン信号をサーチし、トーン信号の種類を検出し、結果を制御部２１３に与える。制御部２１３に接続されたメモリ２１４は、トーン信号の種類と各トーン信号によって指定される送信周波数との対応を示すテーブルが記載されている。
【００２０】
制御部２１３は、メモリ２１４のテーブルに基づき、送信周波数を決定し、その決定した送信周波数を送信周波数設定部２１６から発生させる。
マイク２１７の出力側は、送信部２１５に接続され、音声信号を送信部２１５に出力する。
【００２１】
制御部２１３は、ＰＴＴスイッチ２２０と接続されている。制御部２１３は、送信部２１５にＰＴＴスイッチ２２０が押下されているか否かを判断し、送信部２１５に伝える。送信部２１５は、ＰＴＴスイッチ２２０が押下されているときに、マイク２１７から与えられる音声信号を、送信周波数設定部２１６で発生している送信周波数で変調し、アンテナ２０１から送信する。
【００２２】
受信部２１１の出力側は、スケルチ回路２１８を介してスピーカ２１９に接続されている。スケルチ回路２１８のオープン、クローズは、制御部２１３によって制御される。スピーカ２１９は、受信部２１１から与えられた音声信号を音声として出力する。
【００２３】
以下に、子機２００の送信周波数を、親機１００と子機２００と連携して設定する方法について説明する。
図４は、親機１００の処理を示すフローチャートである。
図５は、子機２００の処理を示すフローチャートである。
図６は、親機１００で発生するトーン信号の種類の説明図である。
図７は、トーン信号と設定する送信周波数との関係を示す図である。
【００２４】
親機１００の制御部１１６は、受信部１１１〜１１４のうちの親機１００が現在指定している受信部が使用中でないか否かを確認する（ステップＳ１）。現在指定している受信部とは、現在親機１００が送信しているトーン信号によって指定される受信部である。その受信部が使用中の場合（ステップＳ１：ＮＯ）、受信部１１１が使用中でないか否かを判断する。受信部１１１が使用中でない場合（ステップＳ２：ＹＥＳ）、全受信部１１１〜１１４が使用中でないか否かを判断する（ステップＳ３）。全受信部１１１〜１１４が使用中でない場合（ステップＳ３：ＹＥＳ）、ＰＴＴスイッチ１２０がオフしているか否かを、判断する（ステップＳ４）。
ＰＴＴスイッチ１２０がオフしている場合（ステップＳ４：ＹＥＳ）、図６に示したイベントのうちの、ＰＴＴスイッチ１２０がオフで、外部からの音声信号の入力がなく、かつ全受信部１１１〜１１４が空いている状態（第１の状態）と判断し、トーン信号発生部１１７にトーン信号ｆｃａを発生させる（ステップＳ５）。
【００２５】
ステップＳ３の判断結果が全受信部１１１〜１１４が使用中の場合（ステップＳ３：ＮＯ）と、ステップＳ４でＰＴＴスイッチ１２０がオンしている場合（ステップＳ４：ＮＯ）とには、図６に示したイベントのうちの、ＰＴＴスイッチ１２０がオン又は外部からの音声信号の入力がありかつ全受信部１１１〜１１４が空いている状態、受信部１１２及び受信部１１４が使用中の状態、受信部１１３及び受信部１１４が使用中の状態、または、受信部１１２及び受信部１１３が使用中の状態のいずれかの状態（第２の状態）であると判断し、トーン信号発生部１１７にトーン信号ｆｃ１を発生させる（ステップＳ６）。
【００２６】
ステップＳ２の判断結果が、受信部１１１が使用中の場合（ステップＳ２：ＮＯ）、受信部１１２が使用中でないか否かを判断する（ステップＳ７）。受信部１１２が使用中でない場合（ステップＳ７：ＹＥＳ）、図６に示したイベントのうちの、受信部１１１のみ使用中の状態、または受信部１１１と受信部１１３と受信部１１４とが使用中の状態のいずれかの状態（第３の状態）であると判断し、トーン信号発生部１１７にトーン信号ｆｃ２を発生させる（ステップＳ８）。
【００２７】
ステップＳ７の判断結果が、受信部１１２が使用中の場合（ステップＳ７：ＮＯ）、受信部１１３が使用中でないか否かを判断する（ステップＳ９）。受信部１１３が使用中でない場合（ステップＳ９：ＹＥＳ）、図６に示したイベントのうちの、受信部１１１と受信部１１２とが使用中の状態、または受信部１１１と受信部１１２と受信部１１４とが使用中の状態のいずれかの状態（第４の状態）であると判断し、トーン信号発生部１１７にトーン信号ｆｃ３を発生させる（ステップＳ１０）。
【００２８】
ステップＳ９の判断結果が、受信部１１３が使用中の場合（ステップＳ９：ＮＯ）、受信部１１４が使用中でないか否かを判断する（ステップＳ１１）。受信部１１４が使用中でない場合（ステップＳ１１：ＹＥＳ）、図６に示したイベントのうちの、受信部１１１と受信部１１２と受信部１１３とが使用中の状態（第５の状態）であると判断し、トーン信号発生部１１７にトーン信号ｆｃ４を発生させる（ステップＳ１２）。
【００２９】
ステップＳ１１の判断結果が、受信部１１４が使用中の場合（ステップＳ１１：ＮＯ）、図６に示したイベントのうちの、受信部１１１と受信部１１２と受信部１１３と受信部１１４とが使用中の状態（第６の状態）と判断し、トーン信号発生部１１７にトーン信号ｆｃｂを発生させる（ステップＳ１３）。
【００３０】
以上の処理により、制御部１１６は、状態を６つに分類し、どの状態にあるかを判定し、対応するトーン信号を発生させている。
詳細には、ＰＴＴスイッチ１２０がオフで、かつマイク１２１からの音声入力がなく、すべての受信部１１１〜１１４が使用されていない状態を、第１の状態と判断し、トーン信号ｆｃａを発生させている。
【００３１】
受信部１１１のみが使用されていない状態、又は、受信部１１１を含む複数の受信部が使用されていない場合であってかつ受信部１１１が最も優先順位が高い状態を、第２の状態と判断し、トーン信号ｆｃ１を発生させている。
受信部１１２のみが使用されていない状態、又は、受信部１１２を含む複数の受信部が使用されていない場合であってかつ受信部１１２が最も優先順位が高い状態を、第３の状態と判断し、トーン信号ｆｃ２を発生させている。
受信部１１３のみが使用されていない状態、又は、受信部１１３を含む複数の受信部が使用されていない場合であってかつ受信部１１３が最も優先順位が高い状態を、第４の状態と判断し、トーン信号ｆｃ３を発生させている。
受信部１１４のみが使用されていない状態を、第５の状態と判断し、トーン信号ｆｃ４を発生させている。
さらに、全受信部１１１〜１１４が使用された状態を、第６の状態と判断し、トーン信号ｆｃｂを発生させている。
【００３２】
送信部１２２は、音声信号が入力されている場合、音声信号とトーン信号とを混合して単一の周波数ｆ１で変調して送信する。又、音声信号が入力されていないときには、トーン信号を単一の周波数ｆ１で変調して送信する。よって、トーン信号は常時送出されている。
【００３３】
子機２００の制御部２１３は、現在設定されている送信周波数が通話中であるか否かを判断し（ステップＳ３１）、通話中でない場合（ステップＳ３１：ＮＯ）、現在設定されている送信周波数が、受信したトーン信号に対応しているか否かを判断する（ステップＳ３２）。
通話中の場合（ステップＳ３１：ＹＥＳ）、及び送信周波数がトーン信号に対応している場合（ステップＳ３２：ＹＥＳ）、処理を終了し、送信周波数の設定が変化しないようにする。
【００３４】
ステップＳ３２の判断結果が、現在設定されている送信周波数がトーン信号に対応していないとなった場合（ステップＳ３２：ＮＯ）、トーン検出部２１２を用いてトーン信号を検出し（ステップＳ３３）、検出したトーン信号がｆｃａであるか否かを判断する（ステップＳ３４）。検出したトーン信号がｆｃａでない場合（ステップＳ３４：ＮＯ）、その検出したトーン信号がｆｃ１であるか否かを判断する（ステップＳ３５）。検出したトーン信号がｆｃ１の場合（ステップＳ３５：ＹＥＳ）、スケルチ回路２１８をオープンにし（ステップＳ３６）、メモリ２１４のテーブルを参照して送信周波数設定部２１６からトーン信号に対応する送信周波数Ｆ１を発生させ（ステップＳ３７）、子機２００の送信周波数をＦ１と設定する。子機２００は、設定された送信周波数を親機１００に送信し、送信してから所定期間（例えば１秒）以内に、親機１００が送信するトーン信号に変化があることを確認し、処理を終了する。この確認処理は、親機１００に対する通信が正常であることを確認するために行う。
【００３５】
ステップＳ３４の判断結果が、検出したトーン信号がｆｃａの場合（ステップＳ３４：ＹＥＳ）、スケルチ回路２１８をクローズとし（ステップＳ３８）、送信周波数設定部２１６からｆｃａのトーン信号に対応する送信周波数Ｆ１（図７参照）を指定して発生させ（ステップＳ３７）、子機２００の送信周波数をＦ１と設定する。子機２００は、設定された送信周波数を親機１００に送信し、送信してから所定期間（例えば１秒）以内に、親機１００が送信するトーン信号に変化があることを確認し、処理を終了する。
【００３６】
ステップＳ３５の判断結果が、検出したトーン信号がｆｃ１でない場合（ステップＳ３５：ＮＯ）、そのトーン信号がｆｃ２であるか否かを判断する（ステップＳ３９）。トーン信号がｆｃ２の場合（ステップＳ３９：ＹＥＳ）、スケルチ回路２１８をオープンにし（ステップＳ４０）、送信周波数設定部２１６からｆｃ２のトーン信号に対応する送信周波数Ｆ２を発生させ（ステップＳ４１）、子機２００の送信周波数をＦ２と設定する。子機２００は、設定された送信周波数を親機１００に送信し、送信してから所定期間（例えば１秒）以内に、親機１００が送信するトーン信号に変化があることを確認し、処理を終了する。
【００３７】
ステップＳ３９の判断結果が、検出したトーン信号がｆｃ２でない場合（ステップＳ３９：ＮＯ）、そのトーン信号がｆｃ３であるか否かを判断する（ステップＳ４２）。トーン信号がｆｃ３の場合（ステップＳ４２：ＹＥＳ）、スケルチ回路２１８をオープンにし（ステップＳ４３）、送信周波数設定部２１６からｆｃ３のトーン信号に対応する送信周波数Ｆ３を発生させ（ステップＳ４４）、子機２００の送信周波数をＦ３と設定する。子機２００は、設定された送信周波数を親機１００に送信し、送信してから所定期間（例えば１秒）以内に、親機１００が送信するトーン信号に変化があることを確認し、処理を終了する。
【００３８】
ステップＳ４２の判断結果が、検出したトーン信号がｆｃ３でない場合（ステップＳ４２：ＮＯ）、そのトーン信号がｆｃ４であるか否かを判断する（ステップＳ４５）。トーン信号がｆｃ４の場合（ステップＳ４５：ＹＥＳ）、スケルチ回路２１８をオープンにし（ステップＳ４６）、送信周波数設定部２１６からｆｃ４のトーン信号に対応する送信周波数Ｆ４を発生させ（ステップＳ４７）、子機２００の送信周波数をＦ４と設定する。子機２００は、設定された送信周波数を親機１００に送信し、送信してから所定期間（例えば１秒）以内に、親機１００が送信するトーン信号に変化があることを確認し、処理を終了する。
【００３９】
ステップＳ４５の判断結果が、検出したトーン信号がｆｃ４でない場合（ステップＳ４５：ＮＯ）、そのトーン信号がｆｃｂであるか否かを判断する（ステップＳ４８）。トーン信号がｆｃｂの場合（ステップＳ４８：ＹＥＳ）、スケルチ回路２１８をオープンにし（ステップＳ４９）、送信周波数設定部２１６からの送信周波数を無効にする（ステップＳ５０）。
【００４０】
ステップＳ４８の判断結果が、検出したトーン信号がｆｃｂでない場合（ステップＳ４８：ＮＯ）、スケルチ回路２１８をクローズにして処理を終了する。
【００４１】
以上のように、本実施形態では、受信部１１１〜１１４の使用状況から送信周波数Ｆ１〜Ｆ４の空き状態が検出され、対応する情報としてのトーン信号ｆｃ１〜ｆｃ４，ｆｃａ，ｆｃｂが、子機２００側に送信される。子機２００は、トーン信号ｆｃ１〜ｆｃ４，ｆｃａ，ｆｃｂの種類に応じて、送信周波数Ｆ１〜Ｆ４の種類を設定できる。よって、符号化回路及び復号化器を親機１００や子機２００に設けなくても、支障なく同時通話が可能になる。又、親機１００の受信部１１１〜１１４の数と子機２００の数が一致しなくてもよく、親機１００の配下の子機２００を増加させることができる。
【００４２】
なお、本発明は、上記実施形態に限定されず、種々の変形が可能である。
例えば、受信部１１１〜１１４の数は４に限定されず、さらに増加してもよい。
また、制御部１１６では、送信周波数の空き状態を６つの状態に分類し、それに対応してトーン信号を発生させているが、これに限定されるものではない。空き状態によって、必ず、１つの送信周波数が指定できるものであればよい。このようにすることで、トーン信号の種類を少なくすることが可能である。
例えばｎ個の受信部１１１〜１１４を有する親機１００では、使用可能な受信部の状態をすべて表そうとすると、２のｎ乗個のトーン信号が必要となるが、２以上使用されていない受信部１１１〜１１４であっても、１つの受信部１１１〜１１４を指定するトーン信号を発生するようにすれば、ｎ＋１種類のトーン信号（使用していない受信部を特定するためのｎ種類と全受信部が使用中であるこ
とを示す１種類）で足りる。また、このようにトーン信号の種類を少なくすることにより、子機２００側で、受信したトーン信号から送信周波数をサーチする時間を短くすることができる。
親機１００は、送信周波数の空き状態を判断する際、高い優先順位が与えられた送信周波数から順に判断し、周波数の空きを一つでも発見した時点で、その周波数情報を子機２００に送信する。子機２００は、トーン信号から空き周波数を検出する際、高い優先順位の周波数に対応するトーン信号から順にサーチする。
【図面の簡単な説明】
【００４３】
【図１】本発明の実施形態に係る無線通信システムの構成図である。
【図２】図１中の親機を示す構成図である。
【図３】図１中の子機を示す構成図である。
【図４】親機の処理を示すフローチャートである。
【図５】子機の処理を示すフローチャートである。
【図６】親機で発生するトーン信号の種類の説明図である。
【図７】トーン信号と設定する送信周波数との関係を示す図である
【符号の説明】
【００４４】
１００            親機
１１１〜１１４    受信部
１１５            音声混合部
１１６            制御部
１１７            トーン信号発生部
１２１            マイク
１２２            送信部
２００            子機
２１１            受信部
２１２            トーン検出部
２１３            制御部
２１４            メモリ
２１５            送信部
２１６            送信周波数設定部
２１７            マイク
【図１】
2008187692.tif 000003
【図２】
2008187692.tif 000004
【図３】
2008187692.tif 000005
【図４】
2008187692.tif 000006
【図５】
2008187692.tif 000007
【図６】
2008187692.tif 000008
【図７】
2008187692.tif 000009